(57)【特許請求の範囲】
【請求項１】
フレーム脚から組み立てられた直方体状のフレーム枠を備えた配電盤キャビネットであって、この場合、フレーム枠のフレーム脚が前記フレーム枠の外部角隅縁部に沿って自由空間を有しており、該自由空間内に、被覆エレメントとキャビネットドアとの屈曲された縁部が導入可能であり、この場合、キャビネットドアの垂直方向側部にはヒンジエレメントが設けられており、これらのヒンジエレメントは、第１の垂直方向のフレーム脚に取り付けられた対応するヒンジエレメントと枢着されており、キャビネットドアの他方の垂直方向側部には閉鎖エレメントが設けられており、これらの閉鎖エレメントが、第１のフレーム脚と並んだ、別の垂直方向のフレーム脚に取り付けられた対応する閉鎖エレメントに対してロック可能及び再度解放可能である形式のものにおいて、
被覆エレメントとキャビネットドアとが、内壁（２０，２０′）と外壁（２０ａ，２０ａ′）とから組み立てられておりかつ中空室（２５，２５′）を形成しており、
ヒンジエレメント（３０）と閉鎖エレメントとがキャビネットドアの中空室（２５′）に収容されており、
内壁（２０ｉ，２０ｉ′）が、外方へ屈曲した縁部（２４，２４′）を有しており、
外壁（２０ａ，２０ａ′）が、内壁（２０ｉ，２０ｉ′）の縁部（２４，２４′）上に屈曲された移行区分（２３，２３′）を有しておりかつ端部屈曲区分（２２，２２′）へ移行しており、該端部屈曲区分が、フレーム脚（１１）の自由空間（１２）に導入されており、
外部角隅縁部において互いに隣接する、被覆エレメントとキャビネットドアとの端部屈曲区分（２２，２２′）が、角度二等分線（１６）に対して平行に延びており、該角度二等分線が、フレーム枠（１０）の、外部角隅縁部において交わる外部平面（１３，１）の間の角度を二等分していることを特徴とする、配電盤キャビネット。
【請求項２】
前記端部屈曲区分（２２，２２′）がフレーム脚（１１）の自由空間（１２）において角度二等分線（１６）に対して所定の間隔（ａ／２）をおいている、請求項１記載の配電盤キャビネット。
【請求項３】
前記所定の間隔（ａ／２）が、内壁（２０ｉ，２０ｉ′）及び外壁（２０ａ，２０ａ′）の厚さ（Ｄ）よりも小さい、請求項２記載の配電盤キャビネット。
【請求項４】
前記被覆エレメント及びキャビネットドアの外壁（２０ａ，２０ａ′）が、該外壁（２０ａ，２０ａ′）に対して直角又は鈍角に位置した移行区分（２３，２３′）を介して端部屈曲区分（２２，２２′）へ移行している、請求項１記載の配電盤キャビネット。
【請求項５】
前記外壁（２０ａ，２０ａ′）の移行区分（２３，２３′）の内側が、内壁（２０ｉ，２０ｉ′）の縁部（２４，２４′）に当接しておりかつ該縁部と結合されている、請求項１から４までのいずれか１項記載の配電盤キャビネット。
【請求項６】
外壁（２０ａ，２０ａ′）の端部屈曲区分（２２，２２′）の自由端部が、外壁（２０ａ，２０ａ′）の内壁に向かって屈曲されている、請求項１から５までのいずれか１項記載の配電盤キャビネット。
【請求項７】
前記被覆エレメントとキャビネットドアとの中空室（２５，２５′）が、部分的にフレーム脚（１１）の自由空間（１２）上に延びている、請求項１から６までのいずれか１項記載の配電盤キャビネット。
【発明の詳細な説明】
【０００１】
【発明の属する技術分野】
本発明は、フレーム脚から組み立てられた直方体状のフレーム枠を備えた配電盤キャビネットにおいて、外部角隅縁部の領域に、２つの壁部から成る互いに突き当たる被覆エレメントの屈曲した縁部を収容するための自由空間が形成されており、少なくとも１つの被覆エレメントがキャビネットドアとして形成されており、該キャビネットドアがヒンジによってフレーム枠に枢着されていて、ヒンジによって枢着されていて、フレーム枠に設けられた閉鎖エレメントによって閉鎖可能及び再び開放可能である形式のものに関する。
【０００２】
【従来の技術】
このような形式の配電盤キャビネットは有利には戸外で使用されるが、この場合、キャビネットドアの不当な開放に対する安全性に対してより高い注意が払われる。二重壁式被覆は被覆エレメントの強制的なこじ開けを困難にする。この場合、破壊行為に対する安全性はキャビネットドアの枢着側及び閉鎖側の領域において常に十分であるわけではない。なぜならば、しばしば未だに枢着手段及び閉鎖手段へのアクセスが提供されているからである。
【０００３】
【発明が解決しようとする課題】
したがって、本発明の課題は、冒頭に述べた形式の配電盤キャビネットを改良して、キャビネットドアの枢着部及び閉鎖部を改良することであり、この場合、フレーム枠における被覆エレメント及びキャビネットドアの任意の組合せを制限することなしに、強制的な開放に対する安全性が高められる。
【０００４】
【課題を解決するための手段】
この課題を解決するために本発明の構成では、被覆エレメント及びキャビネットドアが、内壁と外壁とから組み立てられており、この際に、内壁と外壁とから形成された中空室が少なくとも部分的に、所属の垂直なフレーム脚の自由空間を越えて延びており、キャビネットドアの、被覆された自由空間の領域において、前記中空室が、垂直側でヒンジエレメントを収容し、この一方の垂直側に対向した側で閉鎖エレメントを収容しており、フレーム枠に、対応した対抗ヒンジエレメント及び対抗閉鎖エレメントが取り付けられており、ヒンジ箇所が、キャビネットドアの中空室の内側又は外側に配置されており、閉鎖箇所が常にキャビネットドアの中空室の内側に位置するようになっているようにした。
【０００５】
【発明の効果】
ヒンジエレメント及び閉鎖エレメント並びにヒンジ箇所及び閉鎖箇所をキャビネットドアの中空室の内側及び外側へずらすことによって、キャビネットドアの枢着部及び閉鎖部の垂直方向の箇所へのアクセスはほぼ不可能となり、ひいては破壊行為に対する安全性が決定的に改善される。対抗ヒンジエレメント及び対抗閉鎖エレメントは、フレーム枠に堅く取り付けられており、さらにキャビネットドアによって被覆されている。
【０００６】
その際、多くの場合に、被覆エレメント及びキャビネットドアの外壁が少なくとも垂直側において内壁の垂直側に被さるように屈曲されていて、端部屈曲区分が、フレーム枠の所属の垂直方向フレーム脚の自由空間内へ延びていれば十分であることができる。より高い安全性が望まれる場合には、水平方向及び垂直方向の被覆エレメントの全て、並びにキャビネットドアの水平側及び垂直側が、同様に屈曲及び形成されていて、所属のフレーム脚に向けられていることができる。
【０００７】
さらに、端部屈曲区分が、垂直方向のフレーム脚の領域において互いに直角に交わるフレーム枠外部平面の間の角度二等分線に対して平行に延びていて、かつ角度二等分線に対して所定の間隔を置いて位置しており、ひいてはキャビネットドアの内壁の内側に対するアクセスがさらに困難になる。
【０００８】
外部角隅縁部の領域は、被覆エレメント及びキャビネットドアの外壁が、対応配置された内壁に向かって直角又は鈍角に屈曲された移行区分を介して端部屈曲区分に移行していることによって形成することができる。
【０００９】
閉鎖されたキャビネットドアの所定の当接箇所は、閉鎖されたキャビネットドアの内壁の内側が、フレーム枠の所属の外部平面に位置していることによって維持される。
【００１０】
キャビネットドアを含めた互いに直角に突き当たる被覆エレメントの間のギャップの領域における工具の当付けを回避するために、端部屈曲区分の外側と所属の角度二等分線との間の所定の間隔が内壁及び外壁の厚さよりも小さく形成されている。
【００１１】
被覆エレメント又はキャビネットドアの内壁と外壁との結合は、内壁が少なくとも垂直側に、屈曲した縁部を有しており、この屈曲した縁部が、外壁の移行領域の内側に当接しかつこの内側に結合、特に溶接されていることにより容易になる。
【００１２】
【発明の実施の形態】
以下に本発明の実施の形態を図面につきさらに詳しく説明する。
【００１３】
図面に示したキャビネットドアの枢着側を含んだ外部角隅縁部１５の水平方向横断面には、一点鎖線１３，１４によってフレーム枠１０の外部平面が示されており、これらの外部平面は外部角隅縁部１５において交差している。これらの外部平面１３，１４は、成形材当接側１７，１８の外側によって規定される。内壁２０ｉと外壁２０ａとを備えた被覆エレメントは、成形材当接側１７に固定されている。外壁２０ａの図示した垂直側は、移行区分２３と端部屈曲区分２２が示すように二重に屈曲されている。この屈曲は、内壁２０ｉの垂直方向端部を取り囲み、内壁２０ｉは、縁部２４が示すように外方へ屈曲されている。この縁部２４は、移行区分２３の内側に当接し、例えば溶接によって移行区分２３に結合されている。図示した実施例の場合には、移行区分２３は外壁２０ａに対して直角を成しており、端部屈曲区分２２は移行区分２３に対して１３５゜の角度を成している。これにより、端部屈曲区分２２は、外部平面１３と１４との間の角度二等分線１６に対して平行に延びている。さらに、端部屈曲区分２２の外側は、角度二等分線１６に対して所定の間隔ａ／２だけ間隔を置いて位置している。キャビネットドアの内壁２０ｉ′及び外壁２０ａ′も同様に形成されており、互いに結合されている。キャビネットドアの閉鎖位置においては、フレーム枠１０のフレーム脚１１の自由空間内へ延びた端部屈曲区分２２と２２′との間には、幅ａを備えたギャップが形成されており、幅ａは、被覆エレメント及びキャビネットドアのために使用される内壁２０ｉ，２０ｉ′及び外壁２０ａ，２０ａ′の厚さＤよりも小さく選択されていると有利である。
【００１４】
移行区分２３，２３′は内側２１，２１′に対して鈍角を成していることもでき、さらに移行区分自体が複数の区分を有することができる。被覆エレメント及びキャビネットドアの中空室２５，２５′は成形材当接側１７，１８を越えてフレーム脚１１の自由空間１２の大部分に亘って延びている。中空室２５′のこの重なり合った領域にヒンジエレメント３０が取り付けられている。内壁２０′は開口を有しており、この開口を通して対抗ヒンジエレメント３１が中空室２５′に挿入され、ヒンジエレメント３０に枢着されている。このことはヒンジ軸線３２を示しており、これによりこれらの連結箇所はアクセス不可能である。さらに、キャビネットドアの閉鎖位置においては端部屈曲区分２２，２２′によって自由空間１２ひいては内壁２０ｉ，２０ｉ′の内側へのアクセスがさらに困難になる。
【００１５】
ヒンジエレメント３０と対抗ヒンジエレメント３１との間の連結箇所は、キャビネットドアの外側において、対応配置されたフレーム脚１１の自由空間１２内に配置されることもできる。
【００１６】
ギャップの幅ａと、端部屈曲区分２２，２２′の長さとは、ヒンジ軸３２の配置に関連して、キャビネットドアのための十分に大きな開放角度が得られるように調節することができる。
【００１７】
キャビネットドアの対向した垂直方向の閉鎖側には、同様に閉鎖エレメント及び対抗閉鎖エレメントがキャビネットドアの中空室２５′内及び所属のフレーム脚に取り付けられており、閉鎖エレメントの係合箇所はキャビネットドアの中空室内にずらされている。
【００１８】
被覆エレメント及びキャビネットドアの水平側も同じ形式で、水平方向の外部角隅縁部の横断面が図示された横断面にほぼ対応するように形成されていることができる。被覆エレメント及びキャビネットドアのこれらの側は、外壁の屈曲部に通気穴を有しているか、又は屈曲部が設けられずに開放していることができる。
【００１９】
フレーム脚１１は別の横断面を有することもできるが、この横断面は角度二等分線１６に対して鏡面対称的であると有利である。少なくともキャビネットドアの端部屈曲区分２２′は、キャビネットドアの開放角度を大きくするために、被覆エレメントの端部屈曲区分２２よりも短く形成することができる。
【図面の簡単な説明】
【図１】キャビネットドアの枢着側を含んだ外部角隅縁部１５の水平方向横断面図である。
【符号の説明】
１０  フレーム枠、  １１  フレーム脚、  １３，１４  一点鎖線、  １５  外部角隅縁部、  １６  角度二等分線、  １７，１８  成形材当接側、  ２０ａ外壁、  ２０ｉ  内壁、  ２１，２１′  内側、  ２２  端部屈曲区分、  ２３  移行区分、  ２４，２４′  縁部、  ２５，２５′  中空室、  ３０  ヒンジエレメント、  ３１  対抗ヒンジエレメント、  ３２  ヒンジ軸線
【図１】
0003677250.tif 000002